(57)【要約】【課題】器具本体に対して制光体を容易に着脱ないしは開閉できる照明器具を提供する。【解決手段】蛍光ランプが取付けられる器具本体が有した枠状壁の壁部12ａ、12ｂに、第１の取付け孔21及び第２の取付け孔22と、第１の取付け孔22の近傍に位置する通孔とを設ける。弾性係止片としての板ばね31を、壁部12ａの裏面に設けて、その一端部を壁部12ａに固定する。板ばね31の自由端部側に第１の取付け孔21に連通する係止孔33及び通孔を通って枠状壁の内側に突出する解除部34を設ける。枠状壁の内側に配置される制光体41に、第１の取付け部42ａと、第２の取付け孔22に挿入される第２の取付け部42ｂとを設ける。第１の取付け部42ａに、第１の取付け孔21に挿脱可能でかつ第１の取付け孔21に挿入された状態で係止孔33に引っ掛かるとともに、この引っ掛かりが解除部34により外される係止凸部44を形成する。【選択図】      図６
2006120424.tif 000002
【特許請求の範囲】
【請求項１】
蛍光ランプを取付け可能なランプ配設領域を囲む斜状の枠状壁を有し、この枠状壁に、前記ランプ配設領域を間に置いて第１の取付け孔と第２の取付け孔とを夫々設けるとともに、前記第１の取付け孔の近傍に通孔を設けた器具本体と；
前記枠状壁の裏面に設けられ、かつ、前記第１の取付け孔に連通する係止孔及び前記通孔を通って前記枠状壁の内側に突出する解除部を有した弾性係止片と；
前記第１の取付け孔に挿脱可能でかつ前記第１の取付け孔に挿入された状態で前記係止孔に引っ掛かるとともに、この引っ掛かりが前記解除部によって外される係止凸部が形成された第１の取付け部、及び前記第２の取付け孔に挿入される第２の取付け部を有して、前記枠状壁の内側に配置された制光体と；
を具備することを特徴とする照明器具。
【請求項２】
前記第２の取付け部が前記第２の取付け孔に対する抜け止め部を有していることを特徴とする請求項１に記載の照明器具。
【請求項３】
前記蛍光ランプが環形蛍光ランプ又は片口金型蛍光ランプであって、その口金が着脱自在に接続されるランプソケットを、前記第２の取付け孔側に配置するとともに、前記口金と反対側に位置する前記蛍光ランプのバルブ中間部を前記第１の取付け孔側に配置したことを特徴とする請求項２に記載の照明器具。
【請求項４】
蛍光ランプを取付け可能なランプ配設領域を囲む斜状の枠状壁を有し、この枠状壁に、前記蛍光ランプを間に置いて第１の取付け孔と第２の取付け孔とを夫々設けるとともに、前記第１、第２の取付け孔の近傍に通孔を夫々設けた器具本体と；
前記枠状壁の裏面に設けられ、かつ、前記第１の取付け孔又は前記第２の取付け孔に連通する係止孔及び前記通孔を通って前記枠状壁の内側に突出する解除部を有した第１及び第２の弾性係止片と；
前記第１の取付け孔に挿脱可能でかつ前記第１の取付け孔に挿入された状態で前記第１の弾性係止片の係止孔に引っ掛かるとともに、この引っ掛かりが前記第１の弾性係止片の解除部によって外される係止凸部が形成された第１の取付け部、及び前記第２の取付け孔に挿脱可能でかつこの第２の取付け孔に挿入された状態で前記第２の弾性係止片の係止孔に引っ掛かるとともに、この引っ掛かりが前記第２の弾性係止片の解除部によって外される係止凸部が形成された第２の取付け部を有して、前記枠状壁の内側に着脱可能に配置される制光体と；
を具備することを特徴とする照明器具。
【発明の詳細な説明】
【技術分野】
【０００１】
本発明は、バッフル等の制光体を備えた照明器具に関する。
【背景技術】
【０００２】
器具本体に蛍光ランプを着脱するなどのために、このランプと対向して配置されるバッフル等の制光体は、蛍光ランプと対向する閉じ位置と蛍光ランプの着脱を妨げない開き位置とにわたって移動可能に器具本体に取付けられるか、又は器具本体に着脱可能に取付けられている。
【０００３】
従来のこの種の構成として、下面が開口された器具本体の両端部に夫々係止孔を設け、器具本体の下面開口に取付けられる光制御部材の両端部に夫々係止手段を設け、これらの係止手段を、光制御部材がその両端部に夫々有する一対の遮蔽板に設けた支持孔に摺動自在に挿入させるとともに中間部に操作部が突設された軸と、この軸を付勢するコイルばねなどの付勢手段とで形成し、軸の一端部を前記係止孔に挿脱される挿入部とした技術が知られている（例えば、特許文献１参照。）。
【０００４】
この技術では、光制御部材の一端側に突出された軸の挿入部を、器具本体の一端側の係止孔に挿入した後に、操作部を操作して光制御部材の他端側に突出された軸の挿入部を付勢手段に抗して引っ込めながら、器具本体の他端側の係止孔に位置合わせし、この状態で前記操作部を解放して付勢手段の付勢力で軸の挿入部を係止孔に挿入させることによって、光制御部材を器具本体の下面開口部に取付けることができる。そして、この逆の手順によって器具本体から光制御部材を取外し可能である。又、取外さないまでも、光制御部材の両端に夫々一対設けられている係止手段の内の一方を夫々対応する係止孔から外すことにより、この段階で係止状態にある他方の係止孔及び軸の挿入部を支点として、光制御部材を開閉することができる。それにより、ランプ交換が可能となる。
【特許文献１】特開2003−197024号公報（請求項２、段落0019−0022、図１−図５）
【発明の開示】
【発明が解決しようとする課題】
【０００５】
特許文献１では、天井に配置された器具本体に取付けられる光制御部材に係止手段を設け、器具本体に係止手段の受けである係止孔を設けている。これにより、天井側高所で実施される器具本体への光制御部材の取付け作業では、既述のように係止手段の軸をばね（付勢手段）に抗して操作しながら光制御部材を動かして、位置合わせをする必要があるので、器具本体に対する取付け操作性が良くない。又、器具本体から光制御部材を開いたり外したりする場合にも、係止手段のばねを縮める操作をしながら光制御部材を動かす必要があるので、その操作性が良くない。
【０００６】
本発明の目的は、器具本体に制光体を容易に着脱ないしは開閉できるようにした照明器具を提供することにある。
【課題を解決するための手段】
【０００７】
前記課題を解決するために、請求項１の発明は、蛍光ランプを取付け可能なランプ配設領域を囲む斜状の枠状壁を有し、この枠状壁に、前記ランプ配設領域を間に置いて第１の取付け孔と第２の取付け孔とを夫々設けるとともに、前記第１の取付け孔の近傍に通孔を設けた器具本体と；前記枠状壁の裏面に設けられ、かつ、前記第１の取付け孔に連通する係止孔及び前記通孔を通って前記枠状壁の内側に突出する解除部を有した弾性係止片と；前記第１の取付け孔に挿脱可能でかつ前記第１の取付け孔に挿入された状態で前記係止孔に引っ掛かるとともに、この引っ掛かりが前記解除部によって外される係止凸部が形成された第１の取付け部、及び前記第２の取付け孔に挿入される第２の取付け部を有して、前記枠状壁の内側に配置された制光体と；を具備することを特徴としている。
【０００８】
本発明及び以下の発明で、器具本体の枠状壁とは、その内側に蛍光ランプを取付け可能はランプ配設領域を形成する壁部を指しており、器具本体がシャーシのみで形成される場合には、このシャーシの周壁により形成され、又、器具本体がシャーシとこれに装着された枠体とで形成される場合には、枠体の内周側の壁部などによって形成される。本発明及び以下の発明で、第１、第２の取付け孔は夫々少なくとも一つあればよいが、特に、制光体が大きい場合等においてその取付け状態の安定性を得るために複数設けることが好ましい。本発明及び以下の発明で、通孔が第１の取付け孔の近傍に設けられるとは、制光体の取付け部などを持った手の指で、通孔を通った解除部を操作できる範囲に通孔及び解除部が位置していること意味している。本発明及び以下の発明で、弾性係止片には、例えば板ばねを好適に用いることができ、この弾性係止片は、枠状壁に対して、ねじやリベットなどの固定部品を用いても設けても良いし、溶接により設けてもよく、或いは複数個所の折り曲げや引っ掛かりを伴って結合することで設けることも可能である。本発明及び以下の発明で、弾性係止片の解除部とは、弾性係止片を弾性変形させて係止孔から制光体の係止凸部を外すために操作される部分を指している。本発明及び以下の発明で、制光体とは、バッフル、ルーバ、又は拡散板などであって、蛍光ランプに対向して設けられることで、所定の遮光角を得るものであり、或いは、所定の範囲外では蛍光ランプからの直接光を遮るように機能するものであり、又は、蛍光ランプからの直接光を拡散するように機能するものである。
【０００９】
この請求項１の発明では、制光体の第２の取付け部を、器具本体の枠状壁に設けた第２の取付け孔に挿入してから、制光体の第１の取付け部が有した係止凸部を枠状壁に設けた第１の取付け孔に挿入することによって、器具本体の枠状壁裏面に配置された弾性係止片の係止孔に係止凸部が引っ掛かる。それにより、枠状壁の内側に制光体を配置できる。この場合、弾性係止片が制光体ではなく器具本体に設けられているので、第１の取付け部を枠状壁に取付けるのに、器具本体に対して制光体を動かしながらこの制光体上で弾性係止片を弾性変形させる手作業を要することがなく、係止凸部を第１の取付け孔に単に押し込めばよい。したがって、制光体を器具本体に容易に取付けることができる。
【００１０】
又、ランプ交換などに際しては、制光体の第１の取付け部を掴みながら解除部を操作することで、弾性係止片が弾性変形され、それに伴って係止孔への係止凸部の引っ掛かりが外されるので、第１の取付け部を引き動かすことにより、枠状壁から第１の取付け部が外れる。そして、この状態で、第２の取付け部を第２の取付け孔から引き出して制光体を外すことができる。或いは、第２の取付け部が抜け止め部を有している場合には、この抜け止め部が第２の取付け孔に引っ掛かって、この引っ掛かり部を支点に制光体を開くことができる。この場合、既述のように外し方向に動かされる制光体ではなく、器具本体に固定された弾性係止片を操作するので、動かされる制光体上で弾性係止片を弾性変形させる手作業を要することがなく、したがって、器具本体に対して制光体を容易に外したり開いたりすることができる。
【００１１】
又、請求項２の発明は、前記第２の取付け部が前記第２の取付け孔に対する抜け止め部を有していることを特徴としている。この発明で抜け止め部は、第２取付け孔を通って枠状壁の裏側に配置された第２の取付け部の一部、例えば端部を曲げて設けることが、部品点数を要しない点で好ましいが、抜け止め部を構成するねじ等の他の部品を取付けても良い。
【００１２】
この請求項２の発明では、制光体の第１取付け部を器具本体から既述の手順で取外したときに、制光体から誤って作業者が手を離した場合、第２の取付け部の抜け止め部が第２の取付け孔に引っ掛かって制光体が吊り下がる。このため、ランプ交換などを行う場合に、制光体が脱落しないように開くことができる点で好ましい。
【００１３】
又、請求項３の発明は、前記蛍光ランプが環形蛍光ランプ又は片口金型蛍光ランプであって、その口金が着脱自在に接続されるランプソケットを、前記第２の取付け部孔に配置するとともに、前記口金と反対側に位置する前記蛍光ランプのバルブ中間部を前記第１の取付け孔側に配置したことを特徴としている。
【００１４】
この請求項３の発明では、制光体が開いたときに、この制光体はランプソケットに近い側で吊り下がり、この吊り下がりに伴って蛍光ランプのバルブ中間部側は自ずと広い作業空間が確保される。このため、作業者に対して、蛍光ランプのバルブ中間部側をはじめに外した後に、ランプソケットに対しその略真下方向に蛍光ランプの口金を外すように仕向け易い。それにより、ランプソケット及び口金に過負荷を与えることを抑制しつつ蛍光ランプを外すことができる点で好ましい。
【００１５】
又、前記課題を解決するために、請求項４の発明は、蛍光ランプを取付け可能なランプ配設領域を囲む斜状の枠状壁を有し、この枠状壁に、前記ランプ配設領域を間に置いて第１の取付け孔と第２の取付け孔とを夫々設けるとともに、前記第１、第２の取付け孔の近傍に通孔を夫々設けた器具本体と；前記枠状壁の裏面に設けられ、かつ、前記第１の取付け孔又は前記第２の取付け孔に連通する係止孔及び前記通孔を通って前記枠状壁の内側に突出する解除部を有した第１及び第２の弾性係止片と；前記第１の取付け孔に挿脱可能でかつ前記第１の取付け孔に挿入された状態で前記第１の弾性係止片の係止孔に引っ掛かるとともに、この引っ掛かりが前記第１の弾性係止片の解除部によって外される係止凸部が形成された第１の取付け部、及び前記第２の取付け孔に挿脱可能でかつこの第２の取付け孔に挿入された状態で前記第２の弾性係止片の係止孔に引っ掛かるとともに、この引っ掛かりが前記第２の弾性係止片の解除部によって外される係止凸部が形成された第２の取付け部を有して、前記枠状壁の内側に着脱可能に配置される制光体と；を具備することを特徴としている。
【００１６】
この請求項４の発明では、制光体の第１、第２の取付け部が有した係止凸部を枠状壁に設けた第１、第２の取付け孔に夫々挿入することによって、器具本体の枠状壁裏面に配置された弾性係止片の係止孔に係止凸部が引っ掛かる。それにより、枠状壁の内側に制光体を配置できる。この場合、弾性係止片が制光体ではなく器具本体に固定されているので、第１、第２の取付け部を枠状壁に取付けるのに、器具本体に対して制光体を動かしながらこの制光体上で弾性係止片を弾性変形させる手作業を要することがなく、係止凸部を第１、第２の取付け孔に単に押し込めばよい。したがって、制光体を器具本体に容易に取付けることができる。
【００１７】
又、ランプ交換などに際しては、制光体の第１又は第２の取付け部の一方を掴みながら、この掴み位置に近い解除部を操作することで、この解除部を有した弾性係止片が弾性変形され、それに伴って係止孔への係止凸部の引っ掛かりが外されるので、一方の取付け部を引き動かすことにより、枠状壁から一方の取付け部が外れる。同様に、他方の取付け部を掴みながら、この掴み位置に近い解除部を操作することで、この解除部を有した弾性係止片が弾性変形され、それに伴って係止孔への係止凸部の引っ掛かりが外されるので、他方の取付け部を引き動かすことにより、枠状壁から他方の取付け部が外れる。これにより、制光体を外すことができる。この場合、既述のように外し方向に動かされる制光体ではなく、器具本体に固定された弾性係止片を操作するので、制光体上で弾性係止片を弾性変形させる手作業を要することがなく、したがって、器具本体から制光体を容易に外すことができる。
【発明の効果】
【００１８】
請求項１の発明によれば、器具本体に対して制光体を着脱ないしは開閉する際に、動かされる制光体上で弾性係止片を弾性変形させる手作業を要することがないので、器具本体に対して制光体を容易に着脱ないしは開閉できる照明器具を提供することができる。
【００１９】
請求項２の発明によれば、ランプ交換などを行う場合に制光体を脱落しないように開くことができる照明器具を提供することができる。
【００２０】
請求項３の発明によれば、ランプ交換の際にランプソケットからその略真下方向に蛍光ランプの口金を外すように仕向け易いので、ランプソケット及び口金に過負荷を与えることを抑制しつつ蛍光ランプを外すことができる照明器具を提供することができる。
【００２１】
請求項４の発明によれば、器具本体に対して制光体を着脱する際に、動かされる制光体上で弾性係止片を弾性変形させる手作業を要することがないので、器具本体に対して制光体を容易に着脱できる照明器具を提供することができる。
【発明を実施するための最良の形態】
【００２２】
図１〜図１１を参照して本発明の一実施形態に係る天井装着型の照明器具１について説明する。図１に示した照明器具１は天井Ｃ（図３及び図４参照）に直付け又は埋め込んで設置される。この照明器具１は、器具本体２と、複数の弾性係止片例えば板ばね３１と、制光体４１と、蛍光ランプ５１とを具備している。
【００２３】
図２〜図４に示すように器具本体２は、例えばシャーシ３と枠体１１とを連結して形成されている。詳しくは、シャーシ３は、金属製好ましくは白色表面を有したカラー鋼板製であり、下面が開放された四角形の浅い箱状に成形されている。このシャーシ３の内面は反射面として使用され、又、シャーシ３の開口縁３ａは夫々外側に張り出している。照明器具１が天井Ｃに埋め込み設置される場合には、開口縁３ａが天井Ｃの埋め込み孔の縁に下側から引っ掛けられる。照明器具１が天井Ｃに直付けされる場合には、シャーシ３の奥壁３ｂが天井Ｃに接するように設置される。
【００２４】
図２に示すように奥壁３ｂにはその一側縁に寄せて一対の通孔４ａ，４ｂが開けられている。一方の通孔４ａには図示しない電源供給線（Ｆケーブル）が通され、他方の通孔４ｂには電源送り線（Ｆケーブル）が必要により通されるようになっている。これらの電源供給線及び電源送り線は、通孔４ａ，４ｂ間に配置される図示しない端子台に接続される。前記一側縁と平行な奥壁３ｂの他側縁に寄せて、奥壁３ｂ内面にはランプソケット５が取付けられている。ランプソケット５はその略真下から蛍光ランプ５１の口金５２（図１参照）が着脱できるように形成されている。
【００２５】
奥壁３ｂの内面には複数のランプホルダ６，７が取付けられている。蛍光ランプ５１には、例えば環形蛍光ランプ、更に具体的には、見掛け上二本平行に並ぶように設けられたバルブ５３を有した環形蛍光ランプが使用されている。口金５２がランプソケット５に接続された蛍光ランプ５１のバルブ５３はランプホルダ６，７に着脱自在に支持される。ランプホルダ６はバルブ５３のバルブ中間部５３ａを支持し、ランプホルダ７はバルブ５３の口金側部分を支持する。
【００２６】
図２〜図４に示すように奥壁３ｂには、少なくとも一つ、例えば複数の係止片８が切起こされている。これらの係止片８は、通孔４ａ，４ｂの近くに設けられていて、奥壁３ｂから下向きに起きる根元部とこれから奥壁３ｂと略平行に曲がった先端部とから断面略Ｌ字状（図３参照）をなし、その先端部は奥壁３ｂの中央部側を向いている。
【００２７】
図３及び図４に示すように奥壁３ｂには、その内面に突出された複数の連結部９が形成されている。これら連結部９は例えば奥壁３ｂの対角線上に位置して合計で４個設けられている。
【００２８】
枠体１１は、金属製好ましくは白色表面を有したカラー鋼板製であり、中央部が開放され四角形の枠である。つまり、図１、図２、及び図５に示すように枠体１１は、蛍光ランプ５１を間に置いて配置される第１の枠材１２及びこれに平行な第２の枠材１３と、これらの枠材１２，１３とは直角に配置されるとともに互いに平行な第３の枠材１４及び第４の枠材１５とを、互いに連結して形成されている。この枠体１１はシャーシ３の開口縁３ａを覆う大きさに形成されている。
【００２９】
各枠材１２〜１５の内周側の斜状の壁部１２ａ〜１５ａは、互いに連続して、蛍光ランプ５１を配設可能なランプ配設領域を囲む枠状壁をなしている。この枠状壁は本実施形態では反射壁として機能する。第１の枠材１２の斜状をなした壁部１２ａの縁１２ｂは、図２及び図３に示すようにシャーシ３の奥壁３ｂに接するように曲げられている。同様に、第２の枠材１３の斜状をなした壁部１３ａの縁１３ｂも、図２及び図３に示すようにシャーシ３の奥壁３ｂに接するように曲げられている。第３の枠材１４の斜状をなした壁部１４ａの縁１４ｂ及び第４の枠材１５の斜状をなした壁部１５ａの縁１５ｂは、図２、図４、図５及び図７に示すように枠体１１の中央部方向に向けて突出するように折れ曲がっている。
【００３０】
枠体１１は、連結縁として機能する一対の縁１４ｂ，１５ｂを夫々一対の連結部９に重ねてシャーシ３と組み合わされ、この状態で、両縁１４ｂ，１５ｂの長手方向両端部に開けた通孔を通って各連結部９にねじ好ましくは化粧ねじ１６（図１〜図４参照）をねじ込むことによって、器具本体２が組立てられている。この組立てでは、はじめに、天井Ｃにすでに固定されたシャーシ３の一対の係止片８に枠体１１の縁１２ｂを引っ掛けることによって、シャーシ３に枠体１１を仮に位置決めできるとともに、この枠体１１の第１の枠材１２側をシャーシ３から脱落しないように引っ掛け保持できる。これにより、次に枠体１１の第２の枠材１３側を押し上げて、シャーシ３の各連結部９と縁１４ｂ，１５ｂとを簡易に位置決めして、化粧ねじ１６のねじ込みを行えるので、天井側高所での器具本体２の組み立てを容易に実施できる。この組立てにより、通孔４ａ，４ｂ、係止片８は第１の枠材１２で覆い隠されるともに、シャーシ３に固定される図示しない点灯装置及び各種の電線は枠体１１によって覆い隠される。
【００３１】
図２、図６、及び図８に示すように第１の枠材１２の壁部１２ａには複数例えば２つの第１の取付け孔２１が開けられているとともに、第２の枠材１３の壁部１３ａにも第１の取付け孔２１と同数の第２の取付け孔２２が開けられている。ランプ配設領域を間に置いて設けられた第１の取付け孔２１と第２の取付け孔２２とは、器具本体２の中心を通って第１の枠材１２及び第２の枠材１３と平行に引くことができる直線に対して線対称、従って前記中心に対して点対称の配置となっている。これらの取付け孔２１，２２は好ましい例として枠材１２，１３の傾斜に沿って延びるスリットで形成されている。
【００３２】
第１の枠材１２の壁部１２ａには、第１の取付け孔２１と同数の通孔２３が図８に代表して示すように開けられている。これらの通孔２３は、第１の取付け孔２１の近傍に位置して、例えば枠材１２の傾斜に沿って延びるスリットで形成されている。
【００３３】
前記板ばね３１は、例えば第１の取付け孔２１と同数用いられている。これらの板ばね３１は図１１に示すように例えば略長方形状をなし、その長手方向一端に固定孔３２が設けられているとともに、自由端部となる長手方向他端部に係止孔３３と、解除部３４とを有している。係止孔３３は板ばね３１の長手方向に延びる長方形の角孔からなる。解除部３４は、板ばね３１の自由端部の側縁からＬ字状に折り曲げられた延出部分で形成されている。
【００３４】
これらの板ばね３１は、第１の枠材１２にその壁部１２ａの裏面に接するように固定されている。詳しくは、板ばね３１は第１の取付け孔２１の真上に固定孔３２を位置させて、この固定孔３２及び壁部１２ａを通る固定部品例えばリベット３５で固定されている。それにより、板ばね３１は壁部１２ａの裏面に沿って、かつ、この壁部１２ａの傾斜方向に延びて設けられている。この場合、板ばね３１の解除部３４は、図９等に示すように通孔２３を通って、枠材１２〜１５の壁部１２ａ〜１５ａがなした枠状壁の内側に突出されて、壁部１２ａの裏面への板ばね３１の接触を妨げないようになっている。この接触状態で、図８に示すように第１の取付け孔２１と係止孔３３とは連通していて、かつ、第１の取付け孔２１の下端よりも係止孔３３の下端は上側に位置している。解除部３４は後述する第１の取付け部４２ａの側方近傍に位置している。
【００３５】
前記制光体４１には、図１に例示したように２枚の第１のバッフル片４２と、他の２枚の第２のバッフル片４３とを井桁状に組み合わせてなるバッフルが使用されている。第１、第２のバッフル片４２，４３は例えば金属製である。これらのバッフル片により区画された中央の四角の領域には、透光性の制光場ネルを取付けても良い。互いに平行な第１のバッフル片４２の両端部、つまり、第２のバッフル片４３に対して突出した一端部及び他端部は、第１の取付け部４２ａ及び第２の取付け部４２ｂとして使用されている。
【００３６】
図６、図８〜図１０に示すように第１の取付け部４２ａには係止孔３３に係脱される斜状に突出する係止凸部４４が形成されている。係止凸部４４は、器具本体２に制光体４１が取付けられた状態で前記壁部１２ａに対して略直角となるように設けられている。図８に示すように係止凸部４４の下縁が係止孔３３の下端に引っ掛かることによって、第１の取付け部４２ａが枠体１１に支持されるようになっている。
【００３７】
図６及び図１０に示すように第２の取付け部４２ｂは、第１のバッフル片４２の長手方向に延びて突出する挿入端部４５を有している。この挿入端部４５は、壁部１２ａに対向した壁部１３ａの第２の取付け孔２２に挿通される。この挿通状態で挿入端部４５の先端部は図１０（Ｂ）中二点鎖線に示すように折り曲げられて、抜け止め部４６を形成している。この抜け止め部４６は第２の取付け孔２２を通過不能である。なお、図１０（Ｂ）中符号４５ａは、抜け止め部４６の形成を容易にするための通孔を示している。
【００３８】
次に、天井Ｃに取付けられているシャーシ３に枠体１１と制光体４１とを取付ける手順を説明する。この取付けは、枠体１１に対して制光体４１が以下の手順で予め支持された状態で、既述のように第１の枠材１２の縁１２ｂを、シャーシ３の係止片８に引っ掛け支持しながら、枠体１１の位置を微調整した上で、化粧ねじ１６を連結部９に夫々ねじ込んで実行される。
【００３９】
そして、これに先立って制光体４１を枠体１１に支持させるには、まず、制光体４１が有した一対の第２の取付け部４２ｂの挿入端部４５を、第２の枠材１３の壁部１３ａに開けられている一対の第２の取付け孔２２に夫々挿入させる。この状態で、挿入端部４５の先端部を曲げて抜け止め部４６を形成する。この後、枠体１１内に制光体４１が配置されるように第２の取付け部４２ｂ側を起点に制光体４１を上向きに回転させて、第１の取付け部４２ａの係止凸部４４を、枠材１２の壁部１２ａに開けられている第１の取付け孔２１に押し込む。この場合、複数の第２の取付け孔２２がスリットであって、これらを挿通した第２の取付け部４２ｂが薄板であるので、第２のバッフル片４３が延びる方向に制光体４１が位置決めされ、自然に係止凸部４４を第１の取付け孔２１に入れることができる。
【００４０】
第１の取付け孔２１に押し込まれた係止凸部４４は、はじめに板ばね３１の第１の取付け孔２１に臨んでいる部分に当たるので、板ばね３１が壁部１２ａの裏面から離れるようにリベット３５を支点として弾性変形する。それによって、係止凸部４４が第１の取付け孔２１を挿通するようになるので、板ばね３１はその弾性力で壁部１２ａの裏面に密接し、同時に、図８に示すように係止凸部４４の下縁が係止孔３３の下端に引っ掛かる。以上の手順により、制光体４１は、その第１、第２の取付け部４２ａ、４２ｂを介して枠体１１の第１の枠材１２と第２の枠材１３とにわたって両端支持される。この支持状態で、第２のバッフル片４３の一端は第３の枠材１４の壁部１４ａに接近し、他端は第４の枠材１５の壁部１５ａに近接している。
【００４１】
又、照明器具１が天井Ｃに設置された状態で、ランプ交換をするには、第１の取付け部４２ａを掴むとともに、この掴んだ手の親指で解除部３４を押し込む。それにより、板ばね３１が壁部１２ａの裏面から離れるようにリベット３５を支点として弾性変形するので、係止孔３３が第１の取付け部４２ａの係止凸部４４から外れる。この状態で、第１の取付け部４２ａを引き下げることにより、制光体４１を開くことができる。
【００４２】
この場合、制光体４１から誤って作業者が手を離した場合、第２の取付け部４２ｂの抜け止め部４６が第２の取付け孔２２に引っ掛かって、制光体４１が吊り下がる。これにより、この制光体４１が脱落しないようにできるとともに、第１の枠材１２から外された制光体４１を置く場所を考慮する必要がない。そして、この状態で、ランプ交換ができる。
【００４３】
しかも、蛍光ランプ５１の口金５２が着脱自在に接続されるランプソケット５を、第２の取付け孔２２が設けられた第２の枠材１３側に配置するとともに、口金５２と反対側に位置する蛍光ランプ５１のバルブ中間部５３ａを第１の取付け孔２１が設けられた第１の枠材１２側に配置している。それにより、以上のように制光体４１を開いたときに、この制光体４１はランプソケット５に近い側で吊り下がるので、この吊り下げりに伴って蛍光ランプ５１のバルブ中間部５３ａ側には自ずと広い作業空間が確保される。このため、作業者に対して、蛍光ランプ５１のバルブ中間部５３ａ側をはじめに外した後に、ランプソケット５からその略真下方向に蛍光ランプ５１の口金５２を外すように仕向け易い。よって、ランプソケット５及び口金５２に過負荷を与えることを抑制しつつ蛍光ランプ５１を外すことができる点で好ましい。
【００４４】
それだけではなく、以上のように広い作業空間が確保される第１の枠材１２側からＦケーブルが導入され、このケーブルは、以上のように制光体４１の回転の支点となる第２の枠材１３側には配線されない。このため、制光体４１の開閉に伴って第２の取付け部４２ｂの挿入端部４５がＦケーブルと干渉して、このケーブルを傷つける恐れがない点でも好ましい。
【００４５】
又、ランプ交換後には、制光体４１の第１の取付け部４２ａ側を押し上げて、この制光体４１を枠体１１の内側に配置すればよい。この場合、第１の取付け部４２ａを第１の枠材１２に支持させるときの板ばね３１と係止凸部４４の挙動は既述の通りであるから、制光体４１を上向きに回転させて第１の取付け部４２ａを第１の取付け孔２１に押し込むだけの簡単な手間で、制光体４１を支持させることができる。
【００４６】
以上のように板ばね３１が制光体４１ではなく器具本体２に固定されているので、枠材１２〜１５の壁部１２ａ〜１５ａがなした枠状壁の内側に制光体４１を配置する場合、第１の取付け部４２ａを枠状壁に取付けるのに、器具本体２に対して制光体４１を動かしながらこの制光体４１上で板ばね３１を弾性変形させる手作業を要することがなく、制光体４１の係止凸部４４を第１の取付け孔２２に単に押し込めばよい。これとともに、枠状壁の内側に配置された制光体４１を開く際に、枠状壁から第１の取付け部４２ａを外すのに、外し方向に動かされる制光体４１ではなく、器具本体２に固定された板ばね３１を押し込み操作するので、制光体４１上で板ばね３１を弾性変形させる手作業を要することがない。したがって、前記構成の照明器具は、制光体４１を器具本体２に対して容易に開閉することができる。
【００４７】
しかも、係止凸部４４を拘束しないように板ばね３１を弾性変形させるのに、その際、第１の取付け部４２ａを持った手で、第１の取付け部４２ａの側方近傍に位置した解除部３４を、第１の取付け部４２ａに妨げられることなく押し込み操作できる点でも、操作性がよい。そして、以上のように解除部３４が第１の取付け部４２ａの側方近傍に突出しているので、板ばね３１をむやみに大きくする必要がなく、そのコストを低減できる点で好ましい。
【００４８】
又、前記構成の照明器具１は、板ばね３１を固定するリベット３５が、器具を下方から見て奥まっている縁１２ｂの近傍に設けられている。しかも、器具本体２に制光体４１が支持された状態では、図６及び図８に示すように第１の取付け部４２ａの略真上に設けられていて、第１の取付け部４２ａによりリベット３５の視認を邪魔できる。このため、リベット３５の視認が抑制されるので、照明器具１の体裁がよい。
【００４９】
図１２は本発明の他の実施形態を示している。この実施形態は、以下説明する事項以外は、一実施形態と同じ構成であるので、同じ部分には一実施形態と同じ符号を付してその説明を省略する。なお、必要に応じて図１〜図９なども参照する。
【００５０】
この実施形態では、第２の取付け部４２ｂには一実施形態で用いた挿入端部に代えて係止凸部４４を設けている。更に、第２の枠材１３にもその壁部１３ａの裏面に接するように弾性係止片としての板ばね３１が固定されているとともに、この板ばね３１の解除部３４が通る通孔（図１２では図示されない）が設けられている。
【００５１】
すなわち、この実施形態の照明器具１は、蛍光ランプ５１が取付けられるとともに、この蛍光ランプ５１を配設可能なランプ配設領域を囲む斜状の枠状壁をなす壁部１２ａ〜１５ａを有し、この枠状壁に、ランプ配設領域を間に置いて第１の取付け孔２１と第２の取付け孔２２とを夫々設けるとともに、これら第１、第２の取付け孔２１，２２の近傍に通孔２３を夫々設けた器具本体２を備えている。更に、照明器具１は、枠状壁をなす壁部１２ａ,１３ａに固定されてこの枠状壁（壁部１２ａ,１３ａ）の裏面に接するように設けられ、かつ、第１の取付け孔２１又は第２の取付け孔２２に連通する係止孔３３及び通孔２３を通って壁部１２ａ〜１５ａがなした枠状壁の内側に突出する解除部３４を有した第１、第２の板ばね３１（弾性係止片）を備えている。更に加えて、照明器具１は、枠状壁の壁部１２ａの第１の取付け孔２１に挿脱可能でかつこの第１の取付け孔２１に挿入されて第１の板ばね３１の係止孔３３に引っ掛かるとともに、この引っ掛かりが第１の板ばね３１の解除部３４の押し込みによって外される係止凸部４４が形成された第１の取付け部４２ａ、及び枠状壁の壁部１３ａの第２の取付け孔２２に挿脱可能でかつこの第２の取付け孔２２に挿入されて第２の板ばね３１の係止孔３３に引っ掛かるとともに、この引っ掛かりが第２の板ばね３１の解除部３４の押し込みによって外される係止凸部４４が形成された第２の取付け部２２ｂを有して、壁部１２ａ〜１５ａがなした枠状壁の内側に着脱可能に配置される制光体４１を備えている。
【００５２】
これにより、制光体４１の第１、第２の取付け部４２ａ,４２ｂが有した係止凸部４４を枠状壁の壁部１２ａ、１３ａに設けた第１、第２の取付け孔２１,２２に夫々挿入することによって、器具本体２の枠状壁の壁部１２ａ、１３ａ裏面に配置された第１、第２の板ばね３１の係止孔３３に係止凸部４４が引っ掛かる。それにより、壁部１２ａ〜１５ａがなした枠状壁の内側に制光体４１を配置できる。この場合、板ばね３１が制光体４１ではなく器具本体２に固定されているので、第１、第２の取付け部４２ａ,４２ｂを枠状壁の壁部１２ａ、１３ａに取付けるのに、器具本体２に対して制光体４１を動かしながらこの制光体４１上で板ばね３１を弾性変形させる手作業を要することがなく、係止凸部４４を第１、第２の取付け孔２１,２２に単に押し込めばよい。したがって、制光体４１を器具本体２に容易に取付けることができる。
【００５３】
又、ランプ交換などに際しては、制光体４１の例えば第１の取付け部４２ａを掴みながら、この掴み位置に近い解除部３４を枠状壁の壁部１２ａの裏側に押し込むことで、この解除部３４を有した第１の板ばね３１が弾性変形され、それに伴って第１の板ばね３１の係止孔３３への第１の取付け部４２ａの係止凸部４４の引っ掛かりが外されるので、第１の取付け部４２ａを引き動かすことにより、枠状壁の壁部１２ａから第１の取付け部４２ａが外れる。同様に、第２の取付け部４２ｂを掴みながら、この掴み位置に近い解除部３４を枠状壁の壁部１３ａの裏側に押し込むことで、この解除部３４を有した第２の板ばね３１が弾性変形され、それに伴って第２の板ばね３１の係止孔３３への第２の取付け部４２ｂの係止凸部４４の引っ掛かりが外されるので、第２の取付け部４２ｂを引き動かすことにより、枠状壁の壁部１３ａから第２の取付け部４２ｂが外れる。これにより、制光体４１を外すことができる。この場合、既述のように外し方向に動かされる制光体４１ではなく、器具本体２に固定された板ばね３１を押し込み操作するので、動かされる制光体４１上で板ばね３３を弾性変形させる手作業を要することがなく、したがって、器具本体２に対して制光体４１を容易に外すことができる。
【００５４】
以上のように図１２に示した他の実施形態の照明器具１でも、器具本体２に対して制光体４１を着脱する際に、制光体４１上で板ばね３１を弾性変形させる手作業を格別に要することがないので、器具本体２に対して制光体４１を容易に着脱できる。
【００５５】
なお、本発明は前記各実施形態には制約されない。例えば、板ばね３１は枠状壁をなす壁部１２ａの長手方向に沿って延びるように設けることも可能である。この場合、板ばねを隣接した第１の取付け部４２ａにわたる長さとして、その長手方向両端部に夫々係止孔３３と解除部３４を設けた構成とすることにより、板ばね３１の使用数を減らすことが可能である。
【図面の簡単な説明】
【００５６】
【図１】本発明の一実施形態に係る天井直付け型照明器具を示す斜視図。
【図２】図１の照明器具が備える器具本体を示す正面図。
【図３】図２中矢印Ｆ３−Ｆ３線に沿って示す断面図。
【図４】図２中矢印Ｆ４−Ｆ４線に沿って示す断面図。
【図５】図２の器具本体が備える枠体にバッフルが取付けられた状態を示す正面図。
【図６】図５中矢印Ｆ６−Ｆ６線に沿って示す断面図。
【図７】図５中矢印Ｆ７−Ｆ７線に沿って示す断面図。
【図８】図６中Ｆ８部を拡大して示す断面図。
【図９】図５中矢印Ｆ９−Ｆ９線に沿って示す断面図。
【図１０】（Ａ）図１の照明器具が備えるバッフルの第１のバッフル片を示す側面図。（Ｂ）は前記第１のバッフル片を示す平面図。
【図１１】図１の照明器具が備える板ばねを示す正面図。
【図１２】本発明の他の実施形態に係る照明器具の前記図６相当の断面図。
【符号の説明】
【００５７】
１…照明器具、２…器具本体、３…器具本体のシャーシ、５…ランプソケット、１１…器具本体の枠体、１２…第１の枠材、１３…第２の枠材、１４…第３の枠材、１５…第４の枠材、１２ａ〜１５ａ…第１〜第４の枠材の壁部（枠状壁）、２１…第１の取付け孔、２２…第２の取付け孔、２３…通孔、３１…板ばね（弾性係止片）、３３…係止孔、３４…解除部、４１…制光体、４２ａ…第１の取付け部、４２ｂ…第２の取付け部、４４…係止凸部、４５…挿入端部、４６…抜け止め部、５１…蛍光ランプ、５２…口金、５３…バルブ、５３ａ…バルブの中間部
【図１】
2006120424.tif 000003
【図２】
2006120424.tif 000004
【図３】
2006120424.tif 000005
【図４】
2006120424.tif 000006
【図５】
2006120424.tif 000007
【図６】
2006120424.tif 000008
【図７】
2006120424.tif 000009
【図８】
2006120424.tif 000010
【図９】
2006120424.tif 000011
【図１０】
2006120424.tif 000012
【図１１】
2006120424.tif 000013
【図１２】
2006120424.tif 000014